(57)【要約】【課題】筐体表面の汚れや変色の発生を防止し、美観を損ねない燃焼装置を提供する。【解決手段】燃焼器３の排気口５の前面に排気口５の前方を覆う前壁２０を有し上下面が開口した風除手段１７を備えた燃焼装置１において、排気口５と風除手段１７との間に、排気口５から排出される燃焼ガスの流れ方向を規定する整流手段２１を設け、整流手段２１は、排気口５から排出される燃焼ガスを斜め前上方および斜め前下方に案内するくの字状の案内板２４を有し、案内板２４のくの字を形成する板部の延長線Ｌ１が風除手段１７の前壁２０に重ならない形状としたことで、案内板２４によって燃焼ガスの流れが風除手段１７の前壁２０に向かわないよう方向付けができるので、燃焼ガスが風除手段１７の前壁２０に跳ね返って、排気口５の上下に位置する筐体２表面が汚れるまたは燃焼ガスの熱による変色が発生するのを防止することができ、美観を損ねることがない。【選択図】図６
2019196888.tif 000002
【特許請求の範囲】
【請求項１】
燃焼器の排気口の前面に前記排気口の前方を覆う前壁を有し上下面が開口した風除手段を備えた燃焼装置において、前記排気口と前記風除手段との間に、前記排気口から排出される燃焼ガスの流れ方向を規定する整流手段を設け、前記整流手段は前記排気口から排出される燃焼ガスを斜め前上方および斜め前下方に案内するくの字状の案内板を有し、前記案内板の前記くの字を形成する板部の延長線が前記風除手段の前記前壁に重ならない形状としたことを特徴とする燃焼装置。
【請求項２】
前記整流手段は、前記排気口および前記案内板より上方に、前方に向かって張り出す上張出板を有することを特徴とする請求項１記載の燃焼装置。
【請求項３】
前記整流手段は、前記排気口および前記案内板より下方に、前方に向かって張り出す下張出板を有することを特徴とする請求項１または２記載の燃焼装置。
【請求項４】
前記案内板は、前記くの字状を形成する前記板部として、斜め前上方に延びる上傾斜板と斜め前下方に延びる下傾斜板とを有しており、前記上張出板の先端位置を、前記上傾斜板が前記排気口の開口面に対してなす角度と略同一角度をなす第１斜線を前記排気口上端から前方側に延ばしたときに、前記第１斜線上であって、且つ、前記上傾斜板の先端と同一鉛直面上の位置または前記上傾斜板の先端よりも前方の位置とするようにしたことを特徴とする請求項２または３記載の燃焼装置。
【請求項５】
前記案内板は、前記くの字状を形成する前記板部として、斜め前上方に延びる上傾斜板と斜め前下方に延びる下傾斜板とを有しており、前記下張出板の先端位置を、前記下傾斜板が前記排気口の開口面に対してなす角度と略同一角度をなす第２斜線を前記排気口下端から前方側に延ばしたときに、前記第２斜線上であって、且つ、前記下傾斜板の先端と同一鉛直面上の位置または前記下傾斜板の先端よりも前方の位置とするようにしたことを特徴とする請求項３または４記載の燃焼装置。
【発明の詳細な説明】
【技術分野】
【０００１】
本発明は、排気口の前面に風除具が取り付けられた燃焼装置に関するものである。
【背景技術】
【０００２】
従来この種のものでは、燃焼ガスを排出する排出口の前面側に風除具を設け、燃焼中において排気口の正面側から排気口へ向かって風が吹いてくる場合であっても、その風を防いで、排気口にかかる風圧が高くならないようにし、不完全燃焼や失火等の不具合が発生するのを防止するものがあった。（例えば、特許文献１参照。）
【先行技術文献】
【特許文献】
【０００３】
【特許文献１】特開２０１６−１３３２４６号公報
【発明の概要】
【発明が解決しようとする課題】
【０００４】
ところで、この従来のものは、燃焼中に排気口から排出される燃焼ガスが、風除具に当たって跳ね返り、燃焼装置の筐体側に流れて筐体表面に当たり、排気口近傍であって排気口の上下に位置する燃焼装置の筐体表面が燃焼ガス中に含まれるススなどによって汚れる、または燃焼ガスの熱による変色が発生し、美観を損ねてしまうおそれがあった。
【課題を解決するための手段】
【０００５】
本発明は上記課題を解決するために、請求項１では、燃焼器の排気口の前面に前記排気口の前方を覆う前壁を有し上下面が開口した風除手段を備えた燃焼装置において、前記排気口と前記風除手段との間に、前記排気口から排出される燃焼ガスの流れ方向を規定する整流手段を設け、前記整流手段は前記排気口から排出される燃焼ガスを斜め前上方および斜め前下方に案内するくの字状の案内板を有し、前記案内板の前記くの字を形成する板部の延長線が前記風除手段の前記前壁に重ならない形状とした。
【０００６】
また、請求項２では、前記整流手段は、前記排気口および前記案内板より上方に、前方に向かって張り出す上張出板を有するものとした。
【０００７】
また、請求項３では、前記整流手段は、前記排気口および前記案内板より下方に、前方に向かって張り出す下張出板を有するものとした。
【０００８】
また、請求項４では、前記案内板は、前記くの字状を形成する前記板部として、斜め前上方に延びる上傾斜板と斜め前下方に延びる下傾斜板とを有しており、前記上張出板の先端位置を、前記上傾斜板が前記排気口の開口面に対してなす角度と略同一角度をなす第１斜線を前記排気口上端から前方側に延ばしたときに、前記第１斜線上であって、且つ、前記上傾斜板の先端と同一鉛直面上の位置または前記上傾斜板の先端よりも前方の位置とするものとした。
【０００９】
また、請求項５では、前記案内板は、前記くの字状を形成する前記板部として、斜め前上方に延びる上傾斜板と斜め前下方に延びる下傾斜板とを有しており、前記下張出板の先端位置を、前記下傾斜板が前記排気口の開口面に対してなす角度と略同一角度をなす第２斜線を前記排気口下端から前方側に延ばしたときに、前記第２斜線上であって、且つ、前記下傾斜板の先端と同一鉛直面上の位置または前記下傾斜板の先端よりも前方の位置とするものとした。
【発明の効果】
【００１０】
この発明の請求項１によれば、整流手段は排気口から排出される燃焼ガスを斜め前上方および斜め前下方に案内するくの字状の案内板を有し、案内板のくの字を形成する板部の延長線が風除手段の前壁に重ならない形状としたことで、排気口から排出される燃焼ガスの流れが、風除手段の前壁に向かわないよう、案内板によって斜め前上方および斜め前下方に方向付けることができるので、排気口から排出される燃焼ガスが風除手段の前壁に跳ね返って、燃焼装置の筐体側に流れて、排気口の上下に位置する筐体表面が燃焼ガス中に含まれるススなどによって汚れる、または燃焼ガスの熱による変色が発生といった不具合を防止することができ、美観を損ねることがないものである。
【００１１】
また、請求項２によれば、整流手段は、排気口および案内板より上方に、前方に向かって張り出す上張出板を有することで、排気口から出て直上に向かって流れようとする燃焼ガスの流れを防ぐことができるので、排気口から出て筐体表面を沿うように上昇する燃焼ガスの流れがなく、排気口上方に位置する筐体表面が燃焼ガス中に含まれるススなどによって汚れる、または燃焼ガスの熱による変色が発生といった不具合を防止することができ、美観を損ねることがないものであり、燃焼装置の上方から降ってくる雨水等が排気口へ浸入するのを抑制することもできるものである。
【００１２】
また、請求項３によれば、整流手段は、排気口および案内板より下方に、前方に向かって張り出す下張出板を有することで、排気口から出て直下に向かって流れようとする燃焼ガスの流れを防ぐことができるので、排気口から出て筐体表面を沿うように下降する燃焼ガスの流れがなく、排気口下方に位置する筐体表面が燃焼ガス中に含まれるススなどによって汚れる、または燃焼ガスの熱による変色が発生といった不具合を防止することができ、美観を損ねることがないものである。
【００１３】
また、請求項４によれば、案内板は、くの字状を形成する板部として、斜め前上方に延びる上傾斜板と斜め前下方に延びる下傾斜板とを有しており、上張出板の先端位置を、上傾斜板が排気口の開口面に対してなす角度と略同一角度をなす第１斜線を排気口上端から前方側に延ばしたときに、第１斜線上であって、且つ、上傾斜板の先端と同一鉛直面上の位置または上傾斜板の先端よりも前方の位置としたことで、上張出板が、燃焼装置の上方から降ってくる雨水等が案内板の上傾斜板上に垂れるのを防ぎ、排気口への雨水等の浸入を確実に抑制しつつ、斜め前上方に向かう燃焼ガスの流れを邪魔する排気抵抗となることなく、風除手段の前壁側に向かう燃焼ガスの流れを強く形成せずに、外部へスムーズに燃焼ガスの排出を行わせることができるものである。
【００１４】
また、請求項５によれば、案内板は、くの字状を形成する板部として、斜め前上方に延びる上傾斜板と斜め前下方に延びる下傾斜板とを有しており、下張出板の先端位置を、下傾斜板が排気口の開口面に対してなす角度と略同一角度をなす第２斜線を排気口下端から前方側に延ばしたときに、第２斜線上であって、且つ、下傾斜板の先端と同一鉛直面上の位置または下傾斜板の先端よりも前方の位置としたことで、下張出板が、斜め前下方に向かう燃焼ガスの流れを邪魔する排気抵抗となることなく、風除手段の前壁側に向かう燃焼ガスの流れを強く形成せずに、外部へスムーズに燃焼ガスの排出を行わせることができるものである。
【図面の簡単な説明】
【００１５】
【図１】本発明の一実施形態の燃焼装置を示す斜視図。
【図２】同一実施形態の燃焼装置の要部分解斜視図。
【図３】同一実施形態の燃焼装置を用いた温水暖房システムを示す概略構成図。
【図４】風除具を示す斜視図。
【図５】（ａ）整流具を示す斜視図。（ｂ）整流具の縦断面図。
【図６】同一実施形態の燃焼装置の要部断面拡大図。
【発明を実施するための形態】
【００１６】
次に、この発明の一実施形態の燃焼装置を図面に基づき説明する。なお、本実施形態では、当該燃焼装置を温水暖房システムに用いた場合について説明している。
【００１７】
１は本実施形態の屋外設置型の燃焼装置、２は燃焼装置１の筐体、３は筐体２内に収容され被加熱流体を加熱する燃焼器である。
【００１８】
前記筐体２は、前面板２ａ、上面板２ｂ、側面板２ｃ、底面板２ｄで構成され、前記前面板２ａの上部には穴部４が形成されており、燃焼器３の排気口５を穴部４に臨ませて、燃焼器３で発生した燃焼ガスを排気口５を通じて外部に排出するものである。なお、燃焼装置１内に空気を取り入れる給気口（図示せず）は、筐体２、例えば側面板２ｃの適宜の箇所に設けられるものである。
【００１９】
前記燃焼器３は、送風ファン６からの燃焼用空気の供給を受けて燃料を燃焼させるバーナ７と、バーナ７の燃焼により発生した燃焼ガスから顕熱を回収し受熱管８を流通する水や不凍液等の液体の被加熱流体を加熱するフィンチューブ式の熱交換器９と、熱交換器９を通過した後の燃焼ガスが流通する排気集合室１０と、排気集合室１０を通過した燃焼ガスを外部に排出するための排気口５を有する排気部１１とを有しており、排気部１１の燃焼ガス流れ方向最下流に形成された開口としての排気口５が、燃焼器３の排気口５に相当するものである。
【００２０】
１２は被空調空間を加熱する床暖房パネルやパネルコンベクタ等の放熱端末、１３は放熱端末１２と受熱管８との入水側とを接続し、放熱端末１２から戻ってくる被加熱流体を受熱管８に導く戻り管、１４は放熱端末１２と受熱管８の出水側とを接続し、熱交換器９で加熱された被加熱流体を放熱端末１２に導く往き管、１５は往き管１４に設けられ熱交換器９で加熱された被加熱流体を放熱端末１２に循環させる循環ポンプ、１６は往き管１４に設けられ被加熱流体中の空気と液体とを分離する気水分離器である。
【００２１】
１７は排気口５の前面側に位置するように排気口５が形成されている面の排気部１１に取り付けられ、排気口５の正面側から排気口５へ向かって吹いてくる風を防ぐための風除手段としての風除具であり、図４に示すように、風除具１７は、排気口５の左右幅方向の左側を覆い排気部１１への取付面を有する左側壁１８と、排気口５の左右幅方向の右側を覆い排気部１１への取付面を有する右側壁１９と、排気口５の前方を覆う前壁２０とを有し、左側壁１８と前壁２０は湾曲するコーナー部を介して繋がると共に、右側壁１９と前壁２０も湾曲するコーナー部を介して繋がり、左側壁１８と右側壁１９と前壁２０とが一体的に成形され、上下面が開口された略コの字形状をしており、風除具１７が排気部１１に取り付けられた場合に、風除具１７の前壁２０は、排気口５と所定の間隔をあけて対向するように位置し、排気口５と風除板１７の前壁２０の間には空間が形成され、上下面が開口された状態となるものである。なお、風除具１７の鉛直方向における長さ（風除具１７の下端から上端までの長さ）は排気口５の長さ（排気口５の下端から上端までの長さ）よりも長く、排気口５の前面に風除具１７が取り付けられた状態においては、風除具１７の下端は排気口５の下端よりも下方に位置し、風除具１７の上端は排気口５の上端よりも上方に位置するものである。
【００２２】
２１は燃焼ガスの排出方向において排気口５と風除具１７との間に設けられ、排気口５の前面側に位置するように排気口５が形成されている面の排気部１１に取り付けられ、排気口５から外部へ排出される燃焼ガスの流れ方向を規定する整流手段としての整流具であり、図５に示すように、整流具２１には、風除具１７の前壁２０側に向かって斜め前上方に向かって延び排気口５からの燃焼ガスを斜め前上方に導く上傾斜板２２と風除具１７の前壁２０側に向かって斜め前下方に向かって延び排気口５からの燃焼ガスを斜め前下方に導く下傾斜板２３とで構成され、排気口５から排出される燃焼ガスを外部に案内する側面視の縦断面形状がくの字状（図５（ｂ）参照。）の案内板２４が設けられ、さらに、整流具２１には、排気口５および案内板２４の上方であって、風除具１７の前壁２０に向かって略水平に延出する上張出板２５と、排気口５および案内板２４の下方であって、風除具１７の前壁２０に向かって略水平に延出する下張出板２６とが設けられているものである。前記上張出板２５は、側面視において、その先端２５ａが案内板２４の上傾斜板２２の先端２２ａよりも前方に位置するように張り出しており、前記下張出板２６は、側面視において、その先端２６ａが案内板２４の下傾斜板２３の先端２３ａよりも前方に位置するように張り出しているものである。なお、風除具１７および整流具２１は、例えば、ネジ止めで排気部１１に固定してもよく、溶接などのその他の方法で固定してもよい。
【００２３】
次に、この一実施形態の燃焼装置１の動作について説明する。
リモコン（図示）により燃焼装置１の運転開始が指示されると、送風ファン６からの燃焼用空気の供給を受けてバーナ７の燃焼が開始され、バーナ７の燃焼により発生した燃焼ガスは、熱交換器９を通過した後、排気集合室１０へ流入し、排気集合室１０を流通して、排気集合室１０から排気部１１の排気口５を経て燃焼装置１外へ排出されるものである。また、放熱端末１２へと供給される被加熱流体は、循環ポンプ１５の駆動によって、受熱管８を流通し、熱交換器９にて燃焼ガスとの熱交換により加熱され、受熱管８から往き管１４へ導かれ、放熱端末１２に供給されるものである。
【００２４】
ここで、図６を用いて、整流具２１および風除具１７が排気口５前面に取り付けられた状態での主要部分について説明すると共に、排気口５から燃焼装置１外に排出される燃焼ガスの流れについて説明する。
【００２５】
まず、排気口５の前面側に風除具１７を設けたことにより、燃焼中に排気口５の正面側（前方側）から排気口５へ向かって風が吹いてくる場合であっても、その風を防いで排気口５にかかる風圧を低減させ、排気口５からの燃焼ガスの排出がスムーズに行われ、燃焼や着火が安定し、不完全燃焼や失火や再着火不能等を防止することができるものである。
【００２６】
また、前記整流具２１は、排気口５の高さ方向（鉛直方向）略中央にくの字状（図６では逆くの字状）の案内板２４が位置するように、風除具１７の前壁２０よりも排気口５に近い位置である排気口５の直前面に対向配置させる。そうすると、燃焼中に排気口５から排出される燃焼ガスは、上傾斜板２２に沿うように斜め前上方に向かう流れと下傾斜板２３に沿うように斜め前下方に向かう流れとが発生し、排気口５から排出される燃焼ガスは、前記案内板２４によって上下に略二分されるようにして外部に案内される。
【００２７】
このとき、くの字状の案内板２４は、くの字を形成する板部である上傾斜板２２および下傾斜板２３のそれぞれの先端２２ａ、２３ａから斜め前方に向かって延びる仮想の延長線Ｌ１（図６中の破線参照。）が風除具１７の前壁２０に重ならないように（言い換えると、くの字を形成する板部である上傾斜板２２および下傾斜板２３のそれぞれの先端から斜め前方に向かって延びる仮想の延長線Ｌ１上に風除具１７の前壁２０が存在しないように）、くの字の傾斜角度が設定された形状とされており、このような傾斜角度を有す形状とすることで、排気口５から排出される燃焼ガスの流れが、風除具１７の前壁２０（前壁２０のうら面）に向かわないよう、風除具１７の前壁２０（前壁２０のうら面）を避けるように案内板２４によって斜め前上方および斜め前下方に方向付けることができるので、排気口５から排出される燃焼ガスが風除具１７の前壁２０（前壁２０のうら面）に跳ね返って、燃焼装置１の筐体２の前面板２ａ側に流れて前面板２ａ表面に当たり、排気口５の上下に位置する前面板２ａ表面が燃焼ガス中に含まれるススなどによって汚れる、または燃焼ガスの熱による変色が発生といった不具合を防止することができ、美観を損ねることがないものである。
【００２８】
また、整流具２１には、鉛直方向において排気口５および案内板２４よりも上方に、排気口５の開口面と同一鉛直面から前方（風除具１７の前壁２０側）に向かって略水平に張り出す上張出板２５を設けて、排気口５前面に風除具１７を設けて形成された排気口５上方の上面開口の排気口５寄りの一部を閉塞するようにしたことで、排気口５から出て直上に向かって流れようとする燃焼ガスの流れを防ぐことができるので、排気口５から出て前面板２ａ表面を沿うように上昇する燃焼ガスの流れがなく、排気口５上方に位置する前面板２ａ表面が燃焼ガス中に含まれるススなどによって汚れる、または燃焼ガスの熱による変色が発生といった不具合を防止することができ、美観を損ねることがないものであり、燃焼装置１の上方から降ってくる雨水等が排気口５へ浸入するのを抑制することもできるものである。
【００２９】
さらに、上張出板２５は、その先端２５ａの位置を、上傾斜板２２が排気口５の開口面と同一鉛直面に対してなす角度と略同一角度をなす第１斜線Ｌ２（図６中の一点鎖線参照。）を排気口５上端（排気口５の開口面上の上端）から前方（風除具１７の前壁２０）側に延ばしたときに、第１斜線Ｌ２上であって、且つ、上傾斜板２２の先端２２ａよりも前方の位置とするようにしたことで、上張出板２５が、燃焼装置１の上方から降ってくる雨水等が案内板２４の上傾斜板２２上に垂れるのを防ぎ、排気口５への雨水等の浸入を確実に抑制しつつ、斜め前上方に向かう燃焼ガスの流れを邪魔する排気抵抗となることなく、風除具１７の前壁２０側に向かう燃焼ガスの流れを強く形成せずに、外部へスムーズに燃焼ガスの排出を行わせることができるものである。なお、前記第１斜線Ｌ２のなす角度は、上傾斜板２２が排気口５の開口面と同一鉛直面に対してなす角度と略同一角度としているが、ここで言う略同一角度とは、上傾斜板２２が排気口５の開口面と同一鉛直面に対してなす角度を基準角度として、基準角度から±５°の範囲内の角度とするものである。
【００３０】
また、整流具２１には、鉛直方向において排気口５および案内板２４よりも下方に、排気口５の開口面と同一鉛直面から前方（風除具１７の前壁２０側）に向かって略水平に張り出す下張出板２６を設けて、排気口５前面に風除具１７を設けて形成された排気口５下方の下面開口の排気口５寄りの一部を閉塞するようにしたことで、排気口５から出て直下に向かって流れようとする燃焼ガスの流れを防ぐことができるので、排気口５から出て前面板２ａ表面を沿うように下降する燃焼ガスの流れがなく、排気口５下方に位置する前面板２ａ表面が燃焼ガス中に含まれるススなどによって汚れる、または燃焼ガスの熱による変色が発生といった不具合を防止することができ、美観を損ねることがないものである。
【００３１】
さらに、下張出板２６は、その先端２６ａの位置を、下傾斜板２３が排気口５の開口面と同一鉛直面に対してなす角度と略同一角度をなす第２斜線Ｌ３（図６中の二点鎖線参照。）を排気口５下端（排気口５の開口面上の下端）から前方（風除具１７の前壁２０）側に延ばしたときに、第２斜線Ｌ３上であって、且つ、下傾斜板２３の先端２３ａよりも前方の位置とするようにしたことで、下張出板２６が、斜め前下方に向かう燃焼ガスの流れを邪魔する排気抵抗となることなく、風除具１７の前壁２０側に向かう燃焼ガスの流れを強く形成せずに、外部へスムーズに燃焼ガスの排出を行わせることができるものである。なお、前記第２斜線Ｌ３のなす角度は、下傾斜板２３が排気口５の開口面と同一鉛直面に対してなす角度と略同一角度としているが、ここで言う略同一角度とは、下傾斜板２３が排気口５の開口面と同一鉛直面に対してなす角度を基準角度として、基準角度から±５°の範囲内の角度とするものである。
【００３２】
なお、本発明は先に説明した一実施形態に限定されるものではなく、本実施形態では、上張出板２５の先端２５ａの位置を、前記第１斜線Ｌ２上であって、且つ、上傾斜板２２の先端２２ａよりも前方の位置とするようにしたが、上張出板２５の先端２５ａの位置を、前記第１斜線Ｌ２上であって、且つ、上傾斜板２２の先端２２ａと同一鉛直面上の位置としてもよく、この場合でも、上張出板２５の先端２５ａの位置を、前記第１斜線Ｌ２上であって、且つ、上傾斜板２２の先端２２ａよりも前方の位置としたものと同様、上張出板２５が、燃焼装置１の上方から降ってくる雨水等が案内板２４の上傾斜板２２上に垂れるのを防ぎ、排気口５への雨水等の浸入を確実に抑制しつつ、斜め前上方に向かう燃焼ガスの流れを邪魔する排気抵抗となることなく、風除具１７の前壁２０側に向かう燃焼ガスの流れを強く形成せずに、外部へスムーズに燃焼ガスの排出を行わせることができるという効果を発揮するものである。さらに、本実施形態では、下張出板２６の先端２６ａの位置を、前記第２斜線Ｌ３上であって、且つ、下傾斜板２３の先端２３ａよりも前方の位置とするようにしたが、下張出板２６の先端２６ａの位置を、前記第２斜線Ｌ３上であって、且つ、下傾斜板２３の先端２３ａと同一鉛直面上の位置としてもよく、この場合でも、下張出板２６の先端２６ａの位置を、前記第２斜線Ｌ３上であって、且つ、下傾斜板２３の先端２３ａよりも前方の位置としたものと同様、下張出板２６が、斜め前下方に向かう燃焼ガスの流れを邪魔する排気抵抗となることなく、風除具１７の前壁２０側に向かう燃焼ガスの流れを強く形成せずに、外部へスムーズに燃焼ガスの排出を行わせることができるという効果を発揮するものである。
【００３３】
また、本実施形態では、風除具１７と整流具２１とは独立した部材としているが、例えば、風除具１７に整流具２１の構成（案内板２４、上張出板２５、下張出板２６）を併せ持たせて１つの部材としてもよいものであり、発明の要旨を変更しない範囲で種々の変更が可能である。
【００３４】
また、本実施形態では、燃焼装置１を、放熱端末１２に循環させる被加熱流体を加熱する温水暖房用のボイラとして用いているが、受熱管８の入水側に戻り管１３の代わりに給水管を接続すると共に、受熱管８の出水側に往き管１４の代わりに出湯管を接続して、燃焼装置１を所定箇所に設けた給湯栓に湯水を供給する給湯機として用いてもよいものである。
【００３５】
また、本実施形態では、燃焼装置１を顕熱回収型としたが、燃焼装置１は潜熱熱交換器や中和器等を備え、顕熱のみならず潜熱も回収する潜熱回収型であってもよいものである。
【符号の説明】
【００３６】
１  燃焼装置
３  燃焼器
５  排気口
１７  風除具
２０  前壁
２１  整流具
２２  上傾斜板
２３  下傾斜板
２４  案内板
２５  上張出板
２６  下張出板
Ｌ１  延長線
Ｌ２  第１斜線
Ｌ３  第２斜線
【図１】
2019196888.tif 000003
【図２】
2019196888.tif 000004
【図３】
2019196888.tif 000005
【図４】
2019196888.tif 000006
【図５】
2019196888.tif 000007
【図６】
2019196888.tif 000008